(57)【特許請求の範囲】
【請求項１】
透明な文字版の一方の面に着色層を設け、そして、この着色層の上面に表示意匠の形状の開口を有する光沢黒色層を設けて、着色層上面の表示意匠面を露出させた表示板において、該表示意匠面及び光沢黒色層の表面に光低反射被覆組成物で形成された光低反射層を設けたことを特徴とする表示板。
【請求項２】
着色層の色を白色としたことを特徴とする請求項１記載の表示板。
【請求項３】
表示意匠が文字、記号及び図形から選ばれる少なくとも１種であることを特徴とする請求項１又は２記載の表示板。
【発明の詳細な説明】
【０００１】
【発明の属する技術分野】
本発明は、車両、航空機、船舶等の計器における表示装置に使用される表示板に関する。
【０００２】
【従来の技術】
図３は、従来の表示装置における表示板の概略断面図であり、そして、図４は、別の従来の表示装置における表示板の概略断面図である。
【０００３】
図３に示すように、透明な文字版１１の一方の面に白色に着色された着色層１２を設け、そして、この着色層１２の上面に表示意匠の形状の開口１４を有する艶消し黒色層１３´を設けて、白色に着色された着色層１２の上面の表示意匠面１２ａを露出させた表示板５０を有する自動車等の計器に使用される表示装置は、提案されている。
【０００４】
また、図４に示すように、透明な文字版１１の一方の面に白色に着色された着色層１２を設け、そして、この着色層１２の上面に表示意匠の形状の開口１４を有する光沢黒色層１３を設けて着色層１２の上面の表示意匠面１２ａを露出させた表示板５０を有する自動車等の計器に使用される表示装置も、提案されている。
【０００５】
【発明が解決しようとする課題】
このような従来の表示板（図３）によれば、表示板５０の表面の艶消し黒色層１３´は、昼間の非照明時に外光にさらされると、図３に示すように、艶消し黒色層１３´の表面で乱反射されるので、外見上は、グレーに見え、そのために、艶消し黒色層１３´の「黒色」と表示意匠面１２ａの「白色」とのコントラストが低下してしまい、表示意匠面１２ａによって形成される文字、記号、図形等の意匠の視認性が低下してしまうという問題があった。
【０００６】
また、従来の表示板（図４）によれば、表示板７０の表面の光沢黒色層１３は、昼間の非照明時に外光にさらされると、図４に示すように、外光が光沢黒色印刷層１３の表面で反射されるので、光沢黒色層１３の「黒色」と表示意匠面１２ａの「白色」とのコントラストは向上するが、外光の反射による映り込みが発生し、そのために、表示意匠面１２ａによって形成される文字、記号、図形等の意匠の視認性が低下してしまうという問題があった。
【０００７】
本発明は、かかる問題を解決することを目的としている。
即ち、本発明は、表示意匠の視認性を改善し、併せて、視認される表示意匠に立体性を付与した表示板を提供することを目的とする。
【０００８】
【課題を解決するための手段】
本発明者は、上記問題点を解決すべく実験を重ねるうちに、光沢黒色層に設けられた開口により露出させた白色の表示意匠面及び光沢黒色層の表面に光低反射被覆組成物で形成された光低反射層を設けたところ、外光が光沢黒色層の表面で反射されることにより発生する映り込みを低減でき、その結果、非照明時においても、表示意匠面によって形成される文字、記号、図形等の意匠の視認性を改善できること、並びに、真黒の空間に表示意匠が浮ぶように見える新規な立体感的表示ができることを発見して、本発明を完成させるに至った。
【０００９】
本第１発明は、上記目的を達成するために、透明な文字版の一方の面に着色層を設け、そして、この着色層の上面に表示意匠の形状の開口を有する光沢黒色層を設けて着色層上面の表示意匠面を露出させた表示板において、該表示意匠面及び光沢黒色層の表面に光低反射被覆組成物で形成された光低反射層を設けたことを特徴としている。
【００１０】
第２発明は、第１発明の表示板において、着色層の色を白色としたことを特徴としている。
【００１１】
第３発明は、第１又は２発明の表示板において、表示意匠が文字、記号及び図形から選ばれる少なくとも１種であることを特徴としている。
【００１２】
【発明の実施の形態】
以下、本発明の実施の形態を図面に基づいて説明する。
図１は、本発明の一実施の形態を示す表示板の概略断面図であり、そして、図２は、かかる表示板を組み込んだ表示装置の概略断面図である。
【００１３】
本発明の表示板１０においては、透明な文字版１の一方の面に着色層２が設けらている。透明な文字版１は、ポリカーボネート樹脂、ＭＭＡ樹脂、ポリスチレン系樹脂等の透明又は光透過性のよい材料で構成されている。
【００１４】
着色層２は、その表面が表示意匠面２ａとなるものであるので、その色調は、視認性の向上の観点から、後述する光沢黒色層１３に対して対照的で際立ったものであることが必要である。そのために、本発明における着色層２に用いられる着色顔料は、好ましくは、白色顔料が用いられるが、本発明の目的に反しないかぎり、その他の色の顔料を用いることもできる。本発明における着色層２は、着色顔料が分散された樹脂被覆組成物をスクリーン印刷、オフセット印刷等の手段により被覆して形成されるが、着色された樹脂シートを接着手段により接着しても形成できる。
【００１５】
前記着色層２の上面には、表示意匠の形状の開口４を有する光沢黒色層３が設けられて、開口４に着色層上面の表示意匠面２ａが露出されている。光沢黒色層３は、文字、記号、図形等の表示意匠の形状の開口４を形成するように、黒色顔料が分散された樹脂被覆組成物をスクリーン印刷、オフセット印刷等の手段により被覆して形成するが、光沢を有する黒色の樹脂シートを接着手段により接着しても形成できる。このようにして形成された光沢黒色層３は、表示装置の内機等の内部見えを防止し、また、開口４から見える表示意匠面２ａとのコントラストを向上させるために形成される。
【００１６】
そして、該表示意匠面２ａ及び光沢黒色層３の表面には、光低反射被覆組成物で形成された光低反射層５が設けられている。本発明における光低反射層５は、斯界で良く知られた光低反射被覆組成物を被覆して形成される。光低反射被覆組成物としては、例えば、次の一般式（１）で示されるシリケートの加水分解物、さらには、微粒子状シリカ特にコロイド状に分散したシリカゾルが挙げられる。
【００１７】
【化１】
Ｓｉ（ＯＲ）4                                 （１）
（ここで、Ｒは、アルキル基、アシル基、アルコキシアルキル基である。）
【００１８】
このような光低反射被覆組成物によって形成された光低反射層５は、無機物が３０重量％以上含まれていることが望ましい。ここに挙げた光低反射被覆組成物の例は、あくまで一例であって、本発明の目的に反しない限り、いかなる公知のものをも用いることができる。
【００１９】
このような表示板１０は、例えば、図２に示されるような表示装置３０に組み込まれる。表示板１０の下には、ムーブメント２３が設けられ、そこから表示板１０の貫通口を通じて立設された指針軸に指針２４が設けられている。そして、見返し板２１に表ガラス２２がはめ込まれている。
【００２０】
本発明の表示板１０を組み込んだ表示装置３０によれば、表示板１０の一方の面に自然光又は照明バルブによる外光が当たると、それらの反射光が光低反射層５により低減されて、従来外光が光沢黒色層３の表面で反射されることにより発生していた映り込みを低減できる。その結果、非照明時においても、表示意匠面によって形成される文字、記号、図形等の意匠の視認性を改善でき、併せて、真黒の空間に表示意匠が浮ぶように見える新規な立体的表示ができる。
【００２１】
【発明の効果】
表示意匠面によって形成される表示意匠の視認性を改善でき、併せて、真黒の空間に表示意匠が浮ぶように見える新規な立体的表示ができる表示板を提供することができる。
【図面の簡単な説明】
【図１】本発明の一実施の形態を示す表示板の概略断面図である。
【図２】本発明の一実施の形態を示す表示板を組み込んだ表示装置の概略断面図である。
【図３】従来の表示装置における表示板の概略断面図である。
【図４】別の従来の表示装置における表示板の概略断面図である。
【符号の説明】
１，１１  透明な文字版
２，１２  着色層
２ａ，１２ａ  表示意匠面
３，１３  光沢黒色層
４，１４  開口
５  光低反射層
１４  光不透過層
１０，５０，７０  表示板
３０  表示装置
【図１】
0003854375.tif 000002
【図２】
0003854375.tif 000003
【図３】
0003854375.tif 000004
【図４】
0003854375.tif 000005